【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】  解放可能に装着されたモジュール式内視鏡バルブ組立体を有する医療用内視鏡であって、
外表面と灌漑ポートとを有する医療用内視鏡と、
該内視鏡の前記外表面に着脱可能に装着されたモジュール式内視鏡バルブ組立体とを有し、
該モジュール式内視鏡バルブ組立体は、
入口ポートと、出口ポートと、取付面とを備えてなるハウジングであって、該出口ポートは、前記内視鏡の前記灌漑ポートに解放可能に接続されているハウジングと、
該ハウジングによって支持され、前記入口ポートと前記出口ポートとを結合するバルブであって、該バルブが前記入口ポートと前記出口ポートとの間の流れを遮断するような第１の位置と、該バルブが前記入口ポートと前記出口ポートとの間の流れを許容するような第２の位置との間にて、ユーザが動かすことができる手動制御式のアクチュエータを備えてなるような前記バルブと、
前記取付面によって支持される感圧性の接着剤であって、前記ハウジングの前記取付面が該接着剤によって前記外表面上の所定位置に解放可能に保持される接着剤と、
を有することを特徴とする医療用内視鏡。
【請求項２】  解放可能に装着されたモジュール式内視鏡バルブ組立体を有する医療用内視鏡であって、
外表面と灌漑ポートとを有する医療用内視鏡と、
該内視鏡の前記外表面に着脱可能に装着されたモジュール式内視鏡バルブ組立体とを有し、
該モジュール式内視鏡バルブ組立体は、
入口ポートと、出口ポートと、取付面とを備えてなるハウジングであって、該出口ポートは、前記内視鏡の前記灌漑ポートに解放可能に接続されているハウジングと、
該ハウジングによって支持され、前記入口ポートと前記出口ポートとを結合するバルブであって、該バルブが前記入口ポートと前記出口ポートとの間の流れを遮断するような第１の位置と、該バルブが前記入口ポートと前記出口ポートとの間の流れを許容するような第２の位置との間にて、ユーザが動かすことができる手動制御式のアクチュエータを備えてなるような前記バルブと、
前記ハウジングによって支持される帯紐であって、前記ハウジングの前記取付面が該帯紐によって前記外表面上の所定位置に解放可能に保持される帯紐と、
を有することを特徴とする医療用内視鏡。
【請求項３】  解放可能に装着されたモジュール式内視鏡バルブ組立体を有する医療用内視鏡であって、
外表面と灌漑ポートとを有する医療用内視鏡と、
該内視鏡の前記外表面に着脱可能に装着されたモジュール式内視鏡バルブ組立体とを有し、
該モジュール式内視鏡バルブ組立体は、
入口ポートと、出口ポートと、取付面とを備えてなるハウジングであって、該出口ポートは、前記内視鏡の前記灌漑ポートに解放可能に接続されているハウジングと、
該ハウジングによって支持され、前記入口ポートと前記出口ポートとを結合するバルブであって、該バルブが前記入口ポートと前記出口ポートとの間の流れを遮断するような第１の位置と、該バルブが前記入口ポートと前記出口ポートとの間の流れを許容するような第２の位置との間にて、ユーザが動かすことができる手動制御式のアクチュエータを備えてなるような前記バルブと、
前記取付面によって支持される機械的固定具であって、前記内視鏡の対応する固定具と解放可能に係合する機械的固定具と、
を有することを特徴とする医療用内視鏡。
【請求項４】  前記ハウジングによって支持され、前記ハウジングを前記内視鏡に解放可能に固定するように作動する帯紐をさらに備えていることを特徴とする請求項１又は３に記載の医療用内視鏡。
【請求項５】    前記アクチュエータは、前記第１の位置と前記第２の位置との間を直線的に摺動するように取付られていることを特徴とする請求項１乃至３のいずれか１項に記載の医療用内視鏡。
【請求項６】  前記アクチュエータは、前記第１の位置と前記第２の位置との間を回転するように取付られていることを特徴とする請求項１乃至３のいずれか１項に記載の医療用内視鏡。
【請求項７】  前記内視鏡は、尿管検査鏡から構成されていることを特徴とする請求項１に記載の医療用内視鏡。
【請求項８】  前記内視鏡は、尿管検査鏡から構成されていることを特徴とする請求項２に記載の医療用内視鏡。
【請求項９】  前記内視鏡は、尿管検査鏡から構成されていることを特徴とする請求項３に記載の医療用内視鏡。
【請求項１０】  前記出口ポートは、造影剤の導入ポートを構成していることを特徴とする請求項１乃至３のいずれか１項に記載の医療用内視鏡。
【請求項１１】  前記バルブに結合されたラッチであって、ユーザの制御入力に応じて選択された状態にバルブを解放可能に保持するように作動するラッチをさらに備えていることを特徴とする請求項１乃至３のいずれか１項に記載の医療用内視鏡。
【請求項１２】  前記ラッチは、前記アクチュエータに結合されていて、ユーザの前記アクチュエータの操作に応じて、前記入口ポートと前記出口ポートとの間の流れを許容する状態に前記バルブを保持することを特徴とする請求項１１に記載の医療用内視鏡。
【請求項１３】  前記機械的な固定具は、バネクリップを備え、前記対応する固定具は、該バネクリップに係合するように形作られた前記内視鏡の表面を有することを特徴とする請求項３に記載の医療用内視鏡。
【請求項１４】  前記ハウジングは、さらに第２の入口ポートを備え、前記バルブは、前記第１の位置と前記第２の位置とにおいて該第２の入口ポートと前記出口ポートとの間の流れを遮断し、前記アクチュエータは、ユーザによって第３の位置へと可動になっていて、該第３の位置においては、前記バルブは、前記第２の入口ポートと前記出口ポートとの間の流れを許容する一方、前記最初に特定した入口ポートと前記出口ポートとの間の流れを遮断することを特徴とする請求項１乃至３のいずれか１項に記載の医療用内視鏡。
【請求項１５】  前記最初に特定した入口ポートは、流体源に結合され、前記第２の入口ポートは、吸引源に結合されていることを特徴とする請求項１４に記載の医療用内視鏡。
【請求項１６】  前記ハウジングに含まれてなる第２の入口ポートと、
前記ハウジングによって支持されて、前記第２の入口ポートと前記出口ポートとを結合する第２のバルブであって、該第２のバルブが前記第２の入口ポートと前記出口ポートとの間の流れを遮断する第３の位置と、該第２のバルブが前記第２の入口ポートと前記出口ポートとの間の流れを許容する第４の位置との間にて、ユーザが動かすことができる手動制御式の第２のアクチュエータを備えてなるような前記第２のバルブと、
をさらに備えていることを特徴とする請求項１乃至３のいずれか１項に記載の医療用内視鏡。
【請求項１７】  前記最初に述べた入口ポートは、流体源に接続され、前記第２の入口ポートは、吸引源に接続されていることを特徴とする請求項１６に記載の医療用内視鏡。
【請求項１８】  医療用の内視鏡の制御効率を高めるための方法であって、前記方法が、
（ａ）外面と潅漑ポートとを備えている医療用の内視鏡を設ける段階と、
（ｂ）モジュール式の内視鏡バルブ組立体を設ける段階であって、このバルブ組立体が、
入口ポートと、出口ポートと、取付面とを備えるハウジングと、
該ハウジングによって支持されて、前記入口ポートと前記出口ポートとを結合するバルブであって、該バルブが前記入口ポートと前記出口ポートとの間の流れを遮断する第１の位置と、該バルブが前記入口ポートと前記出口ポートとの間の流れを許容する第２の位置との間にて、ユーザが動かすことができる手動制御式のアクチュエータを備えてなるような前記バルブと、
前記取付面によって支持された感圧性の接着剤と、を備えているような上記段階と、
（ｃ）前記接着剤によって前記バルブ組立体を前記内視鏡の前記外表面に解放可能に固定する段階と、
（ｄ）前記バルブ組立体の前記出口ポートを前記内視鏡の前記潅漑ポートに取り外し可能に結合する段階と、
（ｅ）外科処置の後に前記内視鏡の前記外面からバルブ組立体を取外す段階と、
を備えていることを特徴とする方法。
【請求項１９】  前記段階（ｂ）のバルブ組立体はさらに、前記ハウジングによって支持されている帯紐を備えていることを特徴とする請求項１８に記載の方法。
【請求項２０】  前記段階（ｃ）の後でかつ段階（ｅ）の前において、前記バルブ組立体を前記帯紐によって前記内視鏡に解放可能に固定する段階（ｆ）、を備えていることを特徴とする請求項１９に記載の方法。
【請求項２１】  医療用の内視鏡の制御効率を高めるための方法であって、前記方法が、
（ａ）外面と潅漑ポートとを備えている医療用の内視鏡を設ける段階と、
（ｂ）モジュール式の内視鏡バルブ組立体を設ける段階であって、該バルブ組立体が、
入口ポートと、出口ポートと、取付面とを備えるハウジングと、
該ハウジングによって支持され、前記入口ポートと前記出口ポートとを結合するバルブであって、該バルブが前記入口ポートと前記出口ポートとの間の流れを遮断する第１の位置と、該バルブが前記入口ポートと前記出口ポートとの間の流れを許容する第２の位置との間にて、ユーザが動かすことができる手動制御式のアクチュエータを備える前記バルブと、
前記ハウジングによって支持される帯紐と、を備える上記段階と、
（ｃ）前記帯紐によって前記バルブ組立体を前記内視鏡の前記外面に解放可能に固定する段階と、
（ｄ）前記バルブ組立体の前記出口ポートを前記内視鏡の前記潅漑ポートに取り外し可能に結合する段階と、
（ｅ）外科処置の後に前記内視鏡の前記外面から前記バルブ組立体を取外す段階と、
を備えていることを特徴とする方法。
【請求項２２】  医療用の内視鏡の制御効率を高めるための方法であって、前記方法が、
（ａ）外面と潅漑ポートとを備えている医療用の内視鏡を設ける段階と、
（ｂ）モジュール式の内視鏡バルブ組立体を設ける段階であって、該バルブ組立体が、
入口ポートと、出口ポートと、取付面とを備えるハウジングと、
該ハウジングによって支持され、前記入口ポートと前記出口ポートとを結合するバルブであって、該バルブが前記入口ポートと前記出口ポートとの間の流れを遮断する第１の位置と、該バルブが前記入口ポートと前記出口ポートとの間の流れを許容する第２の位置との間にて、ユーザが動かすことができる手動制御式のアクチュエータを備える前記バルブと、
（ｃ）前記帯紐によって前記バルブ組立体を前記内視鏡の前記外面に解放可能に固定する段階と、
（ｄ）前記バルブ組立体の前記出口ポートを前記内視鏡の前記潅漑ポートに取り外し可能に結合する段階と、
（ｅ）外科処置の後に前記内視鏡の前記外面から前記バルブ組立体を取外す段階と、
を備えていることを特徴とする方法。
【請求項２３】  前記段階（ｂ）において設けられる前記バルブ組立体はさらに、前記バルブに結合されたラッチであって、ユーザの制御入力に応じて選択された状態に前記バルブを解放可能に保持するように作動する上記ラッチをさらに備えていることを特徴とする請求項１８、２１、又は２２のいずれか１項に記載の方法。
【請求項２４】  前記ラッチは、前記アクチュエータに結合されて、ユーザの前記アクチュエータの操作に応じて、前記入口ポートと前記出口ポートとの間の流れを許容する状態にバルブを保持するように作動することを特徴とする請求項２３に記載の方法。
【請求項２５】  前記段階（ｂ）において設けられるバルブ組立体は、機械的な固定具を備え、前記段階（ｃ）は、前記内視鏡の前記外面に機械的な固定具を係合させる段階を有することを特徴とする請求項２２に記載の方法。
【請求項２６】  前記機械的な固定具は、前記内視鏡のまわりに少なくとも部分的に嵌着するように形作られるバネクリップを備えていることを特徴とする請求項２５に記載の方法。
【請求項２７】  前記段階（ｂ）において設けられるハウジングはさらに、第２の入口ポートを備え、前記バルブは、前記第１の位置と前記第２の位置においては、前記第２の入口ポートと前記出口ポートとの間の流れを遮断し、前記アクチュエータは、ユーザによって第３の位置へと可動になっていて、この第３の位置においては、前記バルブは前記第２の入口ポートと前記出口ポートとの間の流れを許容する一方、前記最初に特定した入口ポートと前記出口ポートとの間の流れを遮断することを特徴とする請求項１８、２１、又は２２のいずれか１項に記載の方法。
【請求項２８】  （ｆ）前記段階（ｅ）に先だって、前記最初に述べた入口ポートを流体源に接続する段階と、
（ｇ）前記段階（ｅ）に先だって、前記第２の入口ポートを吸引源に接続する段階と、
をさらに備えていることを特徴とする請求項２７に記載の方法。
【請求項２９】  前記段階（ｂ）において設けられるハウジングはさらに、第２の入口ポートを備え、前記段階（ｂ）において設けられるバルブ組立体はさらに、前記ハウジングによって支持され、前記第２の入口ポートと前記出口ポートとを結合する第２のバルブであって、該第２のバルブが、前記第２の入口ポートと前記出口ポートとの間の流れを遮断する第３の位置と、前記第２のバルブが前記第２の入口ポートと前記出口ポートとの間の流れを許容するな第４の位置との間にて、ユーザが動かすことができる手動制御式の第２のアクチュエータを備える前記第２のバルブを備えることを特徴とする請求項１８、２１、又は２２のいずれか１項に記載の方法。
【請求項３０】  （ｆ）前記段階（ｅ）に先だって、前記最初に述べた入口ポートを流体源に接続する段階と、
（ｇ）前記段階（ｅ）に先だって、前記第２の入口ポートを吸引源に接続する段階と、
を備えていることを特徴とする請求項２９に記載の方法。
【請求項３１】  前記モジュール式内視鏡バルブ組立体は、前記取付面によって支持された感圧性の接着剤を有し、前記段階（ｃ）は、前記バルブ組立体を前記内視鏡の前記外面に前記接着剤によって解放可能に固定する、請求項２２に記載の方法。
【請求項３２】  前記モジュール式内視鏡バルブ組立体は、前記ハウジングによって支持された帯紐を有し、前記段階（ｃ）は、前記バルブ組立体を前記内視鏡の前記外面に前記帯紐によって解放可能に固定する、請求項２２に記載の方法。
【請求項３３】  前記モジュール式内視鏡バルブ組立体は、前記ハウジングによって支持された弾性要素を有し、前記段階（ｃ）は、前記バルブ組立体を前記内視鏡の前記外面に前記弾性要素によって解放可能に固定する、請求項２２に記載の方法。
【請求項３４】  入口ポートと、出口ポートと、少なくとも３つの位置で内視鏡に装着するように形作られた取付面とを有するハウジングと、
該ハウジングによって支持され、前記入口ポートと前記出口ポートとの間で結合されたバルブであって、該バルブが前記入口ポートから前記出口ポートまでの流れを遮断する第１の位置と、該バルブが前記入口ポートから前記出口ポートまでの流れを許容する第２の位置との間でユーザによって可動な手動制御されるアクチュエータを有するバルブと、
前記ハウジングと結合され、前記ハウジングを前記内視鏡に解放可能に固定するように作動可能な弾性要素とを有する、ことを特徴とするモジュール式内視鏡バルブ組立体。
【請求項３５】  前記取付面によって支持され、前記ハウジングを前記内視鏡に解放可能に固定するように作動する前記感圧性の接着剤をさらに有する請求項３４に記載のモジュール式内視鏡バルブ組立体。
【請求項３６】  前記ハウジングによって支持され、前記ハウジングを前記内視鏡に解放可能に固定するように作動する帯紐をさらに有する請求項３４に記載のモジュール式内視鏡バルブ組立体。
【請求項３７】  前記内視鏡は、尿管検査鏡から構成される請求項３４に記載のモジュール式内視鏡バルブ組立体。
【請求項３８】  前記バルブと結合し、ユーザによる制御入力に応答して選択された状態に前記バルブを解放可能に保持するように作動可能なラッチをさらに有する請求項３４に記載のモジュール式内視鏡バルブ組立体。
【請求項３９】  前記ラッチは、前記アクチュエータに結合され、ユーザによる前記アクチュエータの操作に応じて、前記入口ポートから前記出口ポートへの流れを可能にする状態で前記バルブを保持するように作動する請求項３４に記載のモジュール式内視鏡バルブ組立体。
【請求項４０】  前記ハウジングは、第２入口ポートをさらに有し、前記バルブは、前記第１の位置及び前記第２の位置において、前記第２入口ポートと前記出口ポートとの間の流れを遮断し、前記アクチュエータは、ユーザによって前記バルブが前記最初の特定した入口ポートと前記出口ポートとの間の流れを遮断しつつ、前記第２入口ポートと前記出口ポートとの間の流れを可能にする第３位置へ可動である請求項３８に記載のモジュール式内視鏡バルブ組立体。
【請求項４１】  前記最初に特定した入口ポートは、流体源へ接続され、前記第２入口ポートは、吸引源に接続される、請求項４０に記載のモジュール式内視鏡バルブ組立体。
【請求項４２】  前記ハウジング内に設けられた第２入口ポートと、
前記ハウジングによって支持され、前記第２入口ポートと前記出口ポートとの間で結合された第２バルブであって、ユーザによって、前記第２バルブが前記第２の入口ポートと前記出口ポートとの間の流れを遮断する第３の位置と、記第２バルブが前記第２の入口ポートと前記出口ポートとの間の流れを許容する第４の位置との間で可動な、手動制御される第２アクチュエータを有する第２バルブと、を有する請求項３４に記載のモジュール式内視鏡バルブ組立体。
【請求項４３】  前記最初に特定した入口ポートは、流体源へ接続され、前記第２入口ポートは、吸引源に接続される、請求項４２に記載のモジュール式内視鏡バルブ組立体。